(57)【要約】  照明製品から動作情報を集めるためのシステム、方法、及び装置。照明製品は組み込み永続メモリユニットと、メモリユニット内にデータ動作パラメータを保存するよう構成されたプロセッサとを含む。メモリユニットは照明製品のＥＯＬまで及びＥＯＬ後にアクセスされ得る。メモリユニットは物理的に取り外し可能でもよいし、又は有線インターフェイス若しくはＮＦＣタグ等の無線インターフェイスを介してアクセス可能でもよい。照明製品メモリユニットは、照明製品をソケットに差し込むことによって又は照明製品をＮＦＣタグリーダーで読み取ることによって店舗内のキオスクにてアクセスされる。メモリユニットから回収されたデータは、データベースから一連の適切な取り替え照明製品を選択して表示するために使用される。
2015528151.tif 000002
【特許請求の範囲】
【請求項１】
光源と、
電気接続部と、
永続メモリと、
動作情報を集めて前記動作情報を前記永続メモリ内に保存するプロセッサと
を含む照明製品であって、
前記永続メモリは前記照明製品のＥＯＬ後にアクセス可能であり、前記電気接続部によって前記光源及び前記プロセッサに動作電力が供給される、照明製品。
【請求項２】
前記永続メモリは前記電気接続部を介して前記ＥＯＬ後にアクセス可能である、請求項１に記載の照明製品。
【請求項３】
前記永続メモリと電気通信する無線インターフェイスを更に含み、前記永続メモリは前記無線インターフェイスを介して前記ＥＯＬ後にアクセス可能である、請求項１に記載の照明製品。
【請求項４】
前記無線インターフェイスは近距離無線通信タグを含む、請求項３に記載の照明製品。
【請求項５】
前記無線インターフェイスは前記ＥＯＬ後に前記照明製品から取り外し可能である、請求項３に記載の照明製品。
【請求項６】
前記永続メモリは前記ＥＯＬ後に前記照明製品から取り外し可能である、請求項１に記載の照明製品。
【請求項７】
前記永続メモリは更に製品情報を保存する、請求項１に記載の照明製品。
【請求項８】
照明製品のＥＯＬ後に前記照明製品内のメモリにアクセスするステップと、
前記メモリから動作情報を回収するステップと、
前記動作情報に基づき製品データベースから取り替え製品を選択するステップと、
前記取り替え製品に関する製品情報を表示するステップと
を含む、コンピュータ実行方法。
【請求項９】
前記照明製品をソケット内に受容するステップと、前記ソケットに電力を印加するステップとを更に含む、請求項８に記載の方法。
【請求項１０】
前記照明製品内の無線インターフェイスに接続するステップを更に含む、請求項８に記載の方法。
【請求項１１】
前記メモリから静的製品情報を回収するステップと、前記静的製品情報に基づき前記照明製品を分類するステップとを更に含む、請求項８に記載の方法。
【請求項１２】
前記動作情報に基づき前記データベースを更新するステップを更に含む、請求項８に記載の方法。
【請求項１３】
プロセッサと、
前記プロセッサと通信する照明製品インターフェイスと、
前記プロセッサによってアクセス可能な照明製品情報を含むデータベースと、
前記プロセッサと通信する表示デバイスと
を含む推薦システムであって、
前記プロセッサは、
前記インターフェイスを介してソース照明製品内のメモリにアクセスするステップと、
前記メモリから動作情報を回収するステップと、
少なくとも部分的に前記動作情報に基づき、前記データベースから前記ソース照明製品のための取り替え照明製品を選択するステップと、
前記取り替え製品に関する前記照明製品情報を前記表示デバイス上に表示するステップと
を実行する、推薦システム。
【請求項１４】
前記ソース照明製品はＥＯＬ照明製品である、請求項１３に記載の推薦システム。
【請求項１５】
前記データベースから前記ソース照明製品のための取り替え照明製品を選択するステップは、前記メモリから回収される静的ソース製品情報に少なくとも部分的に基づく、請求項１４に記載の推薦システム。
【請求項１６】
前記インターフェイスは、前記ソース照明製品の第２の無線インターフェイスと無線通信する第１の無線インターフェイスを更に含む、請求項１４に記載の推薦システム。
【請求項１７】
前記インターフェイスは、前記ソース照明製品の第２の有線インターフェイスと電気通信する第１の有線インターフェイスを更に含む、請求項１４に記載の推薦システム。
【請求項１８】
前記動作情報はユーザー満足度データを含む、請求項１３に記載の推薦システム。
【発明の詳細な説明】
【技術分野】
【０００１】
［０００１］本発明は一般的には照明システムを対象とする。より具体的には、本明細書が開示する様々な発明的方法及び装置は、照明製品の寿命終了（ＥＯＬ：ｅｎｄ−ｏｆ−ｌｉｆｅ）後の使用のために動作データを集めることに関連する。
【背景技術】
【０００２】
［０００２］デジタル照明技術、すなわち、発光ダイオード（ＬＥＤ：ｌｉｇｈｔ−ｅｍｉｔｔｉｎｇ  ｄｉｏｄｅ）などの半導体光源に基づく照明は、従来の蛍光灯、ＨＩＤ灯、及び白熱灯の実現可能な代替を提供する。ＬＥＤの機能的な利点及び利益は、高いエネルギー変換及び光学的効率、耐性、より低い動作コスト、並びに他の多くのことを含む。ＬＥＤ技術の近年の発達は、多くの用途で様々な照明効果を可能にする効率的でロバストなフルスペクトル照明源を提供している。
【０００３】
［０００３］多くのユーザーはどの照明製品が自身のニーズ及び好みに最も適するかについて十分に把握していない。例えば、機能的及び雰囲気的な照明の質及び強度、寿命、均一性、省エネルギー機能等は、ユーザーの予算、好み、及び照明環境に変換しづらい。技術が可能にする様々なオプション、例えば設計自由度、色及び色温度オプション、並びにインテリジェント制御等が人を圧倒するため、これはＬＥＤベース製品を検討する場合に特に当てはまる。これらの困難性を軽減するため、オンライン上ではユーザーの製品選択プロセスを援助するために益々多くのアドバイスがユーザーに提供されているが、これらの方法は邪魔で且つ差し出がましい。
【０００４】
［０００４］この傾向と一致して、携帯電話産業での近距離無線通信（ＮＦＣ）技術の採用の到来を主因として、ＮＦＣ技術のコストは今後５年間下がり続けると予測されている。このような技術、特にＮＦＣタイプ１／２タグの使用価格は、現在タグあたり約５セントである。低価格のＮＦＣタグは、一部の製品について以前はそのような機能を非実用的にしていた低コストのデータ保存及び通信のチャンスを提供する。
【０００５】
［０００５］一部の周知の照明器具は、安定コイルにてルーメン出力測定値を記録するためにマルチタップ静電容量センサを含む。これらの照明器具はセンサデータ、及び例えば動作スケジュール等の様々な動作パラメータに関するデータを保存する内部メモリを有する。保存されたデータは、電力消費を計算して例えば照明器具の寿命の間、所望の照明レベルを維持するよう動作パラメータを調整するために照明器具の動作中にアクセスされ得る。
【０００６】
［０００６］他の周知の照明器具は動作データ及び照明器具の識別情報を保存するための内部メモリを含む。これらのパラメータは、ピーク効率を過ぎて動作している照明器具を識別するために例えば無線接続によって稼働中の照明器具から外部アクセスされ得る。保存されているパラメータの１つ以上が基準値を上回る場合、照明器具の運転が阻止され得る。上記従来技術のいずれでも保存情報は使用可能な照明器具からのみアクセス可能であり、情報はその動作を制御するために使用される。
【発明の概要】
【発明が解決しようとする課題】
【０００７】
［０００７］したがって、当該技術分野には、効果的に行うにはコスト及び時間がかかり、よって通常はほとんどの小売環境又はオンラインショッピングオプションで実現できないユーザーと小売店の店員又はｅコマースストアとの間の複雑なやり取りに頼る必要なく、ユーザーのニーズ及び好みに合わせた取り替え照明製品に関する不十分な案内の問題を克服するニーズが存在する。
【課題を解決するための手段】
【０００８】
［０００８］本開示は、照明製品のＥＯＬ後の使用のために動作情報を生産製品から集めるための発明的方法、システム、及び装置を対象とする。例えば、照明製品は小さな組み込み永続メモリユニットと、メモリユニット内に動作パラメータを保存するよう構成されたプロセッサとを含み得る。メモリは照明製品のＥＯＬまで及びＥＯＬ後にアクセスされ得る。メモリは物理的に取り外し可能でもよく、又は有線インターフェイス若しくはＮＦＣタグ等の無線インターフェイスを介してアクセス可能でもよい。メモリユニット、プロセッサ、及び／又はインターフェイスはＥＯＬ後に再利用のために照明製品から回収することができる。保存されるデータは動作時間、強度、色、ユーザー満足度情報、製品ＩＤ、及び再生利用又は安全な処分のための照明製品に使用される材料に関する情報を含んでもよい。
【０００９】
［０００９］ＥＯＬ後に永続メモリからデータを回収するための方法は、照明製品を店舗内のキオスクに物理的に持って行き、照明製品をソケットに差し込むこと又はタグリーダーによって照明製品を読み取ることを含み得る。あるいは、データは照明製品の近くでスマートフォンをスワイプすることによって回収され得る。
【００１０】
［００１０］システムは照明製品から回収されたデータを処理して、データベースから一連の適切な取り替え照明製品を選択し得る。選択物はキオスクの映像ディスプレイ又はスマートフォンの画面上に表示され得る。同様のシステムが廃棄ビンに集められたＥＯＬ製品を分類及び／又はルーティングするために使用され得る。
【００１１】
［００１１］一般的に、一側面では、本発明は、光源と、電気接続部と、永続メモリと、動作情報を集めて動作情報を永続メモリ内に保存するプロセッサとを含む照明製品に関連する。永続メモリは照明製品のＥＯＬ後にアクセス可能であり、電気接続部によって光源及びプロセッサに動作電力が供給される。
【００１２】
［００１２］一実施形態では、永続メモリは電気接続部を介してＥＯＬ後にアクセス可能である。他の実施形態では、照明製品は永続メモリと電気通信する無線インターフェイスを更に含み、永続メモリは無線インターフェイスを介してＥＯＬ後にアクセス可能である。無線インターフェイスは近距離無線通信タグを含み得る。無線インターフェイス及び／又は永続メモリはＥＯＬ後に照明製品から取り外し可能であり得る。
【００１３】
［００１３］一般的に、他の側面では、本発明は、プロセッサと、プロセッサと通信する照明製品インターフェイスと、プロセッサによってアクセス可能な照明製品情報を含むデータベースと、プロセッサと通信する表示デバイスとを含む推薦システムに関連する。プロセッサは、インターフェイスを介してソース照明製品内のメモリにアクセスするステップと、メモリから動作情報を回収するステップと、少なくとも部分的に動作情報に基づき、データベースからソース照明製品のための取り替え照明製品を選択するステップと、取り替え製品に関する照明製品情報を表示デバイス上に表示するステップとを実行する。
【００１４】
［００１４］一実施形態では、ソース照明製品はＥＯＬ照明製品である。第１の変形例では、データベースからソース照明製品のための取り替え照明製品を選択するステップは、メモリから回収される静的ソース製品情報に少なくとも部分的に基づく。第２の変形例では、インターフェイスは、ソース照明製品の第２の無線インターフェイスと無線通信する第１の無線インターフェイスを含む。第３の変形例では、インターフェイスは、ソース照明製品の第２の有線インターフェイスと電気通信する第１の有線インターフェイスを含む。
【００１５】
［００１５］一般的に、他の側面では、本発明は、照明製品のＥＯＬ後に照明製品内のメモリにアクセスするステップと、メモリから動作情報を回収するステップと、動作情報に基づき製品データベースから取り替え製品を選択するステップと、取り替え製品に関する製品情報を表示するステップとを含む、コンピュータ実行方法に焦点を当てる。メモリにアクセスするステップは照明製品のＥＯＬ後に起こってもよい。方法は更に照明製品をソケット内に受容するステップとソケットに電力を印加するステップ、及び／又は照明製品内の無線インターフェイスに接続するステップを含んでもよい。一変形例は、メモリから静的製品情報を回収するステップと、静的製品情報に基づき照明製品を分類するステップとを含む。
【００１６】
［００１６］一般的に、他の側面では、本発明は、照明製品内のメモリにアクセスするステップと、メモリから動作情報を回収するステップと、動作情報に基づき製品データベースから取り替え製品を選択するステップと、取り替え製品に関する製品情報を表示するステップとを実行するための命令を含むコンピュータ読み取り可能媒体に関する。
【００１７】
［００１７］一般的に、他の側面では、本発明は、照明製品内のメモリにアクセスするステップと、照明製品に関する動作情報を求めるステップと、メモリ内に動作情報を保存するステップとを実行するための命令を含むコンピュータ読み取り可能媒体に関する。一実施形態では、動作情報はユーザー満足度データ（すなわち、使用における照明の質／性能に対するポジティブ／ネガティブな反応）を含む。
【００１８】
［００１８］本開示の目的で本明細書において使用される場合、「ＬＥＤ」との用語は、任意のエレクトロルミネセンスダイオード、又は、電気信号に呼応して放射を発生できる、その他のタイプのキャリア注入／接合ベースシステム（ｃａｒｒｉｅｒ  ｉｎｊｅｃｔｉｏｎ／ｊｕｎｃｔｉｏｎ−ｂａｓｅｄ  ｓｙｓｔｅｍ）を含むものと理解すべきである。したがって、ＬＥＤとの用語は、次に限定されないが、電流に呼応して発光する様々な半導体ベースの構造体、発光ポリマー、有機発光ダイオード（ＯＬＥＤ）、エレクトロルミネセンスストリップ等を含む。例えば本質的に白色光を生成するＬＥＤ（例えば白色ＬＥＤ）の一実施態様は、それぞれ、組み合わされることで混合して本質的に白色光を形成する様々なスペクトルのエレクトロルミネセンスを放射する複数のダイを含む。別の実施態様では、白色光ＬＥＤは、第１のスペクトルを有するエレクトロルミネセンスを異なる第２のスペクトルに変換する蛍光体材料に関連付けられる。この実施態様の一例では、比較的短波長で狭帯域幅スペクトルを有するエレクトロルミネセンスが、蛍光体材料を「ポンピング（ｐｕｍｐｓ）」して、当該蛍光体材料は、いくぶん広いスペクトルを有する長波長放射を放射する。
【００１９】
［００１９］なお、ＬＥＤとの用語は、ＬＥＤの物理的及び／又は電気的なパッケージタイプを限定しないことを理解すべきである。例えば、上述した通り、ＬＥＤは、（例えば個々に制御可能であるか又は制御不能である）異なるスペクトルの放射をそれぞれ放射する複数のダイを有する単一の発光デバイスを指すこともある。また、ＬＥＤは、ＬＥＤ（例えばあるタイプの白色ＬＥＤ）の一体部分と見なされる蛍光体に関連付けられることもある。
【００２０】
［００２０］「光源」との用語は、限定されないが、ＬＥＤベース光源（上記のような１つ以上のＬＥＤを含む）を含む様々な放射源のうちの任意の１つ以上を指すと理解すべきである。
【００２１】
［００２１］「色温度」との用語は、本明細書では、通常、白色光に関連して使用されるが、その使用は、当該用語の範囲を限定することを意図していない。色温度は、基本的に、白色光の特定の色内容又は陰（例えば、赤みを帯びた、青みを帯びた）を指す。所与の放射サンプルの色温度は、従来から、問題とされている放射サンプルと同じスペクトルを基本的に放射する黒体放射体のケルビン度数（Ｋ）の温度に応じて特徴付けられている。黒体放射体の色温度は、通常、約７００度Ｋ（通常、人間の目に最初に可視となると考えられている）から１０，０００度Ｋ超の範囲内であり、白色光は、通常、約１５００〜２０００度Ｋより高い色温度において知覚される。
【００２２】
［００２２］「照明器具」又は「照明製品」との用語は、本明細書では、特定の形状因子、アセンブリ又はパッケージの１つ以上の照明ユニットの実施態様又は配置を指すために交換可能に使用される。「照明ユニット」との用語は、本明細書では、同じ又は異なるタイプの１つ以上の光源を含む装置を指して使用される。所与の照明ユニットは、様々な光源の取付け配置、筐体／ハウジング配置及び形状、並びに／又は、電気及び機械的接続構成の何れか１つを有してもよい。さらに、所与の照明ユニットは、光源の動作に関連する様々な他の構成要素（例えば制御回路）に任意選択的に関連付けられてもよい（例えば含む、結合される、及び／又は一緒にパッケージされる）。
【００２３】
［００２３］「コントローラ」という用語は、本明細書では概して１つ又は複数の光源の動作に関係する様々な機器を表現するために使用される。コントローラは、本明細書で論じられる様々な機能を実行するために多数の方法で実装され得る（例えば専用ハードウェアによってなど）。「プロセッサ」は、本明細書で論じられる様々な機能を実行するためにソフトウェア（例えばマイクロコード）を使用してプログラムされ得る１つ又は複数のマイクロプロセッサを使用するコントローラの一例である。コントローラは、プロセッサを使って又は使わずに実装されても良く、何らかの機能を実行するための専用ハードウェアと他の機能を実行するためのプロセッサとの組合せ（例えば１つ又は複数のプログラムされたマイクロプロセッサと関連する回路）としても実装され得る。本開示の様々な実施形態で使用可能なコントローラ要素の例は、限定されないが、従来のマイクロプロセッサ、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、及び書き換え可能ゲートアレイ（ＦＰＧＡ：ｆｉｅｌｄ−ｐｒｏｇｒａｍｍａｂｌｅ  ｇａｔｅ  ａｒｒａｙ）を含む。
【００２４】
［００２４］様々な実装形態において、プロセッサ又はコントローラは、１つ又は複数の記憶媒体（本明細書では一般に「メモリ」と呼ばれる、例えばＲＡＭ、ＰＲＯＭ、ＥＰＲＯＭやＥＥＰＲＯＭ、フロッピディスク、コンパクトディスク、光学ディスク、磁気テープなどの揮発性及び不揮発性コンピュータメモリ）に関連しても良い。一部の実装形態では、１つ若しくは複数のプロセッサ及び／又はコントローラ上で実行されるとき、本明細書で論じられる機能の少なくとも一部を実行する１つ又は複数のプログラムによって記憶媒体が符号化されても良い。本明細書で論じられる本発明の様々な態様を実施するために、記憶媒体上に記憶された１つ又は複数のプログラムがプロセッサ又はコントローラ内にロードされ得るように、様々な記憶媒体がプロセッサ若しくはコントローラ内に固定されても良く、又は可搬式とすることができる。「プログラム」又は「コンピュータプログラム」という用語は、本明細書では、１つ又は複数のプロセッサ又はコントローラをプログラムするために使用され得る任意の種類のコンピュータコード（例えばソフトウェアやマイクロコード）を指すために一般的な意味で使われる。「永続メモリ」との用語は、本明細書では、永続メモリへの給電の有無を問わず情報を保存及び維持するよう構成されるデバイスを指す。
【００２５】
［００２５］本明細書で使用される「ＥＯＬ」との用語は、機能的寿命の終わりを迎えたデバイスを指す。デバイスはまだある程度は機能し得るが、所定の許容可能な動作パラメータのセット内では機能できない。例えば、ＥＯＬ照明製品はまだ光を生成できるが、所与の電力レベルにて許容可能な最小の照度閾値未満である。
【００２６】
［００２６］本明細書で使用される場合、用語「ユーザーインターフェイス」は、ユーザーとデバイスとの間の通信を可能にする、人間のユーザー又はオペレーターと１つ以上のデバイスとの間のインターフェイスを指す。本開示の多様な実施形態において使用され得るユーザーインターフェイスの例は、限定はされないが、スイッチ、ポテンショメータ、ボタン、ダイヤル、スライダー、マウス、キーボード、キーパッド、多様なゲームコントローラ（例えば、ジョイスティック）、トラックボール、表示画面、多様なグラフィカルユーザインターフェイス（ＧＵＩ）、タッチスクリーン、マイク、及び人間が生成する何らかの形態の刺激を受信し、それに応じて信号を生成し得る他の種類のセンサを含み得る。
【００２７】
［００２７］上記の概念及び以下でより詳細に論じられる更なる概念のあらゆる組合せが（かかる概念が互いに矛盾しないという条件で）、本明細書に開示される本発明の内容の一部として予期されることが理解されるべきである。とりわけ、本開示の最後に登場する特許請求の範囲に記載の内容のあらゆる組合せが、本明細書に開示される本発明の内容の一部として予期される。参照により援用される任意の開示でも登場する場合がある本明細書で明示的に用いられる専門用語には、本明細書で開示される特定の概念に最もふさわしい意味が与えられるべきことも理解されるべきである。
【図面の簡単な説明】
【００２８】
［００２８］図中、類似の参照文字は一般に様々な図面にわたり同じ部分又は部品を指す。また、図面は必ずしも縮尺通りではなく、通常、むしろ本発明の原理を説明することに重点が置かれる。
【００２９】
【図１】［００２９］図１は、永続メモリを有する照明製品の第１の実施形態を示す。
【図２】［００３０］図２は、永続メモリを有する照明製品の第２の実施形態を示す。
【図３】［００３１］図３は、永続メモリを有する照明製品の第３の実施形態を示す。
【図４】［００３２］図４は、照明製品からのデータを処理するための推薦システムの概略図である。
【図５】［００３３］図５は、照明製品と照明製品からのデータを処理するための推薦システムとの間の無線インターフェイスの概略図である。
【図６】［００３４］図６は、照明製品と照明製品からのデータを処理するための推薦システムとの間の有線インターフェイスの概略図である。
【図７】［００３５］図７は、推薦システムのプロセッサの機能を実行するためのアーキテクチャの例を示す概略図である。
【図８】［００３６］図８は、取り替え照明製品を推薦するための例示的な方法のフローチャートである。
【図９】［００３７］図９は、ユーザー満足度収集システムの概略図である。
【図１０】［００３８］図１０は、例示的なシナリオにおける照明製品の使用フェーズを示す。
【発明を実施するための形態】
【００３０】
［００３９］照明製品のユーザーは、しばしば、如何にして取り替え製品をＥＯＬ照明製品の固有の使用に最適に適合し得るかを完全に把握する利益を享受することなく、ＥＯＬ照明製品を処分して取り替え照明製品を選択する。本発明の一課題は、例えばショップにて、ユーザーが前に所有していた照明製品からの蓄積された使用データを推薦システムへの入力として特に使用することでユーザーの照明製品選択を援助することである。これは潜在的に膨大なＬＥＤオプションの選択肢から照明製品を見つけ出すプロセスを顕著に容易にすると共に、有価物再利用及び環境目的のためにユーザーがＥＯＬ照明製品を返却することを奨励する。
【００３１】
［００４０］より一般的には、出願人は、ＥＯＬ製品の取り替え時に照明ユーザーに案内を提供するために利用される製品情報及び動作情報を保存する製品及びシステムを提供することが有益であろうことを認識及び理解した。本発明はユーザーが各自のＥＯＬ照明製品をショップに持って行くことを奨励するので、照明製品の再生利用問題を克服し得る。本発明は照明製品が機能的寿命を終えた後に照明製品に関する蓄積データを伝送することを可能にする。本発明は材料ループを閉じるために回収及びリサイクル中に照明製品を識別する問題を克服する。本発明は設置後に得られる照明の質の結果をユーザーが知らないために安価且つ劣った代替照明製品に逆行する問題を克服する。
【００３２】
［００４１］上記に照らして、本発明の様々な実施形態及び実装形態は、照明製品のＥＯＬ後に永続メモリからデータを回収するための照明製品、システム、及び方法を対象とする。データの回収は、照明製品を物理的に店舗内のキオスクに持って行き、照明製品をソケットに接続する又はタグリーダーによって読み取ることを含み得る。あるいは、照明製品の近くでスマートフォンをスワイプしてデータを回収してもよい。
【００３３】
［００４２］図１に示されるように、本発明の照明製品１００の第１の例示的実施形態は電源１１０、メモリユニット１２０、増幅器１６０、マイクロコントローラ１５０、ドライバ１１５、及び１つ以上のＬＥＤ１４０を含む。電源１１０は電気コネクタ（図示無し）を介して電流を受け取り、増幅器１６０、マイクロコントローラ１５０、及びドライバ１１５に電力を分配する。ドライバ１１５はマイクロコントローラ１５０が制御する現在の動作設定に従ってＬＥＤを駆動する。マイクロコントローラ１５０は増幅器１６０を介してメモリユニット１２０と通信する。マイクロコントローラはメモリユニット１２０内に動作パラメータを保存できる。増幅器１６０はメモリユニット１２０とマイクロコントローラ１５０との間の信号を増幅する。
【００３４】
［００４３］メモリユニット１２０は照明製品１００に関する蓄積データ、例えば照明製品１００の寿命中の使用情報及びユーザー満足度を保存する。メモリユニット１２０内に保存されたデータは、照明製品１００の機能的寿命を越えて（照明製品１００のＥＯＬ後に）他のデバイスによって読み取られ得る。蓄積データは名前と値のペアにフォーマットされ、値は、例えばＥＯＬまでの寿命等を含む比例使用値又は時間消費値である。集められる使用データは照明製品の寿命中のユーザープリファレンスに関連し、その後、後述される推薦システムに供給され得る。書き込みデータは永続的なので照明製品１００は待機電力を必要としないことに留意されたい。これはセッション間で待機電力を必要とすることなく一般的な設定データも保存可能であることを意味する。
【００３５】
［００４４］第１の実施形態では、ＮＦＣフロントエンド電子回路１７０がメモリユニット１２０及び増幅器１６０を含む。照明製品１００はＥＯＬ後に照明製品１００からＮＦＣフロントエンド電子回路１７０が物理的に回収され得るよう構成され得る。例えば、ＮＦＣフロントエンド電子回路１７０はマイクロコントローラ１５０、ドライバ１１５、ＬＥＤ１４０、及び電源１１０のうちの１つ以上を収容する回路基板の取り外し可能部分の上に配置されてもよい。あるいは、ＮＦＣフロントエンド電子回路１７０は、他のデバイスでの再展開のためにソケットから引き出され得るＡＳＩＣ等のソケット接続ＩＣ内に含まれてもよい。
【００３６】
［００４５］第１の実施形態は照明製品１００がＮＦＣタグを使用することに依存しないが、ＮＦＣタグの使用は任意の将来の照明製品の照明プレファレンスの保存及び伝送に関して有利であり、また再利用の可能性を提供するので総コストを一層低減する。照明製品１００は、例えば、調光、色調整、ＲＦ制御、又は符号化光通信等の制御可能な照明特徴を備えるランプ又はモジュール等のインテリジェント光源であり得る。色調整は、例えば赤色ＬＥＤ、緑色ＬＥＤ、及び青色ＬＥＤ（ＲＧＢ）の強度レベルのバランスを取ることを含み得る。これらの制御可能な特徴は例えば有線又は無線インターフェイスを介して受信される制御信号又は制御メッセージによって制御され得る。制御メッセージは、照明製品１００が生成する光の質の特定の側面を制御するために使用されるパラメータ設定を含み得る。これらのパラメータ設定はメモリユニット１２０内に保存され得る。
【００３７】
［００４６］メモリユニット１２０は照明製品１００に関する動作情報を保存するよう構成される。メモリユニット１２０は様々なメモリサイズで構成され、例えば９６バイトバージョン及び２ＫＢバージョン等である。メモリユニット１２０内に保存される蓄積動作情報（データ）の量及び蓄積データの種類はメモリサイズに依存してもよい。低メモリ要件、例えば９６バイトＮＦＣタグをサポートする蓄積データのオプションのリストを表１に示す。
【表１】
2015528151.tif 000003
【００３８】
［００４７］各パラメータは名前／値のペアで保存され、名前フィールドはパラメータを識別し、値は名付けられたパラメータのレベルを表す。あるいは、パラメータ名を省略し、パラメータ値のアドレスがパラメータＩＤを示すようメモリユニット１２０内にマッピングされたアドレス空間に従ってパラメータを保存することでスペースを節約してもよい。当然ながら、当業者に知られる他のデータ保存技術を使用してもよい。また、メモリスペースを節約するためにメモリ内に保存されるデータを圧縮してもよく、データはメモリユニット１２０に保存される前に符号化され、メモリユニット１２０から回収されるときに復号される。
【００３９】
［００４８］概して、表１内のパラメータは、照明製品１００の活動時間及び当該時間中に生成された光の強度を表す。表２は、例えば２ＫＢバージョンにおいてスペースが許容される場合に表１が示すデータに加えてメモリユニット１２０内に保存され得るデータを含む。
【表２】
2015528151.tif 000004
【００４０】
［００４９］スペースを節約するために、上記パラメータに代えて標準色ルックアップテーブルを使用してもよい。他の種類のパラメータも保存され得ることに留意されたい。保存されるパラメータの種類に特に制約はないが、通常、パラメータは光源の種類及び一連の制御可能な特徴に対して適切であり得る。照明アニメーション等の高度な設定に関しては、例えば２ＫＢバージョンでは、それらが寿命の特定の割合閾値以上の間使用される場合、intensity_color_timestamp値等のフォーマットのパラメータが保存され得る。同様に、より高度なユーザー入力が利用可能な場合、特定の照明特性を当該照明特性に対するユーザー満足度と共に捕捉するために、メモリユニット１２０内に満足度の統計も保存してもよい。このような照明特性は、例えば照明製品１００の生成光の色及びユーザーが示す相対的満足度であり得る。満足度は例えば「満足」又は「不満」等を示す大まかなものでもよいし、又は０が完全に不満を表し、１５が完全に満足を表す０〜１５の範囲の値域でもよい。メモリが限られている場合、例えば満足値が所定の閾値を上回る又は下回るときにパラメータ名／値が上書きされてもよい。メモリユニット１２０内のスペースを節約するために、パラメータ名を識別子に符号化して、その後例えば後述される推薦システムによって復元してもよい。これは照明製品ファミリにわたって識別子を標準化することを含み得る。
【００４１】
［００５０］使用可能なメモリに応じて、動作パラメータに加えて照明製品１００に関する静的情報、例えばシリアル番号、製品ＩＤ、材料、並びに処理及び解体方法等もメモリユニット１２０内に含まれ得る。静的情報は照明製品の寿命にわたって変化せず、例えば不揮発性メモリ内に動作パラメータとは別に保存されてもよいし、又は永続的な揮発性メモリ内に動作パラメータと共に保存されてもよい。
【００４２】
［００５１］図２は照明製品２００の第２の実施例のブロック図を示す。第１の実施形態と同様に、第２の実施形態では、照明製品２００は電源１１０、メモリユニット１２０、増幅器１６０、ドライバ１１５、及び１つ以上のＬＥＤ１４０を含む。第１の実施形態は単一のマイクロコントローラ１５０（図１）を含んでいたが、第２の実施形態では第１のマイクロコントローラ２５０が第２のマイクロコントローラ２５５と通信する。メモリユニット１２０、増幅器１６０、及び第２のマイクロコントローラ２５５がＮＦＣモジュール２７０の一部である一方、電源１１０、第１のマイクロコントローラ２５０、ドライバ１１５、及びＬＥＤ１４０はランプモジュール２８０の一部である。後述されるように照明製品２００が他のデバイスと無線通信し得るよう、ＮＦＣモジュール２７０は更にＮＦＣタグ（図示無し）及びアンテナ（図示無し）を含み得る。ＮＦＣモジュール２７０及びランプモジュール２８０は単一の基板又は回路基板上に形成され、この場合、ＮＦＣモジュール２７０及び／又はランプモジュール２８０はソケット接続されるか、又はＮＦＣモジュール２７０は、部品の回収のためにＥＯＬ後にランプモジュール２８０から分離されるよう構成される。
【００４３】
［００５２］図３は、照明製品３００の第３の実施例のブロック図を示す。図１と同様に、第３の実施形態では、照明製品は電源１１０、メモリユニット１２０、マイクロコントローラ１５０、増幅器１６０、ドライバ１１５、及び１つ以上のＬＥＤ１４０を含む。第３の実施形態では、メモリユニット１２０及びアンテナ（図示無し）は別個のＮＦＣモジュール３７０に組み込まれ、残りの部品はランプモジュール３８０の一部である。第３の実施形態では増幅器はランプモジュールの一部なので、ＥＯＬ後、メモリユニット１２０及びアンテナ（図示無し）が回収のために照明製品３００から分離され得る。
【００４４】
［００５３］第１、第２、及び第３の実施形態のそれぞれにおいて、照明製品１００、２００、３００は異なるレベルの機能及び能力を提供し得る。第１の例では、非常にベーシックな照明製品１００、２００、３００が、調光、色調整等の機能を含むことなく、例えばオン／オフ等の非常に単純な照明機能を提供し得る。照明製品は、マイクロコントローラ１５０、２５０、２５５、フロントエンド電子機器、メモリユニット１２０、及びアンテナ（図示無し）等、ＮＦＣを実行するための外部電子機器を必要とする単純なドライバ１１５を有する。外部電子機器は照明製品１００、２００、３００のコストを増大するおそれがある。しかし、追加のコストはスマートフォン市場におけるＮＦＣタグの採用に伴うＮＦＣコストの急激な低下によってオフセットされ得る。更に、発生費用は再利用可能な部品の有価物再利用可能性を考慮して正当化され、また、消費者が割増額を支払おうとする新規の機能を提供することによってオフセットされ得る。
【００４５】
［００５４］第２の例では、インテリジェント照明製品１００、２００、３００が調光、色調整、ＲＦ制御、又は符号化光通信等のより複雑な機能を提供し得る。この例では、マイクロコントローラ１５０、２５０、２５５は概してより複雑なので、ＮＦＣ機能を実現するために使用可能な電子機器を再利用できる。しかし、やはり付加的なフロントエンド電子機器の回路が使用され得る。第２の例ではハードウェアの再利用、例えばＥＯＬ時にＮＦＣモジュールを分離することは難しい可能性がある。
【００４６】
［００５５］例えばＺｉｇｂｅｅ（登録商標）及びＲＦＩＤ（ＮＦＣ）等のＲＦ制御プロトコルは異なる周波数で動作することに留意されたい。これは良く似た製品におけるアンテナ及び他の電子機器の再利用を制限し得る。しかし、ＲＦＩＤアンテナを照明製品１００、２００、３００の設計に統合することが可能である。照明器具に統合する場合、アンテナはＮＦＣタグのコストの大部分を占め得るので、照明製品あたりのＲＦＩＤのコストは大幅に低減され得る。ＮＦＣ電子機器を照明器具に統合する場合、照明器具を店舗内のキオスクに移動させるのは難しいのでＥＯＬ情報を照明器具の設置場所で回収しなければならない可能性があり、よってＥＯＬ製品情報を無線回収することが好ましい。
【００４７】
［００５６］当然ながら、第１の例及び第２の例は非常に異なるレベルの機能及び能力を表し、他の例は中間のレベル又は異なる機能及び能力を有し得る。照明製品１００、２００、３００の無線アンテナには概して２つのオプションがある。アンテナは各製品内に含まれてもよく、又は検出地点にて例えば電力接続部を介して電気接続されてもよい。
【００４８】
［００５７］照明製品１００、２００、３００が処分又はリサイクルのために返却されるとき、メモリユニット１２０が通信インターフェイスと共にＥＯＬ照明製品１００、２００、３００から取り外され得る。部品は再利用又は転用され、例えば、ＲＦＩＤタグとして他の照明製品１００、２００、３００に又はポスター等の全く異なるアプリケーションに再利用され得る。この再利用は、組み込みメモリユニット１２０の照明製品からの読み取り／書き込み動作を可能にするホスト電子機器の寿命を越えて機能するよう意図されたメモリユニット１２０によって可能にされる。これは、メモリユニット１２０が例えばプリント回路基板の一部に延在する断層線によって、又はモジュールを例えばソケットにプラグ／アンプラグする機構によりＥＯＬ電子機器から取り外し可能にされ得ることを意味する。
【００４９】
推薦システム
［００５８］図４は、照明製品及び照明機能のデータベースにリンクされる推薦システム４００の一実施形態の概略図を示す。概して、推薦システム４００は上記照明製品１００からデータを回収し、例えば照明製品１００が使用された態様及び／又は記録されたユーザー満足度情報に基づいて適切な取り替え製品を推薦するために回収されたデータを使用する。照明製品１００及びその使用に関する回収データ、例えば上記名前／値のペアは推薦システム４００への入力として使用され、推薦システム４００は、これらの値に最もマッチする取り替え照明製品及び機能に関する情報を表示する。
【００５０】
［００５９］推薦システム４００はコンピュータ等のプロセッサ４５０、データベース４６０、ディスプレイ４１０、及びインターフェイス４２０を含む。データベース４６０は取り替え照明製品に関する情報を含む。インターフェイス４２０は照明製品１００から、例えば照明製品１００内に組み込まれる永続メモリから動作情報を回収するために照明製品１００と通信する。インターフェイス４２０については後に詳述する。プロセッサ４５０はデータベース４６０に問い合わせをするために回収された情報を使用する。例えば、回収された情報は照明製品１００が頻繁にオン／オフされたことを示し得る。この場合、プロセッサ４５０は、電源投入されると素早くフル照明に達する取り替え照明製品のためのクエリを作成し得る。あるいは、回収された情報は照明製品が長時間オンに維持されていたことを示し得る。この場合、プロセッサ４５０は比較的長いピーク照明寿命を有する取り替え照明製品のためのクエリを作成し得る。プロセッサ４５０はデータベースクエリの結果をディスプレイ４１０上に表示する。ディスプレイ４１０は例えばフラットパネルＬＣＤディスプレイ、ＬＥＤディスプレイ、プラズマディスプレイ、ＣＲＴ等のディスプレイであり得る。
【００５１】
［００６０］特定の照明製品１００に関連する照明プリファレンス及び使用データは、照明製品１００の機能的寿命まで及びそれ以降、多様な方法で推薦システム４００に途切れなく伝送され得る。推薦システム４００は例えば小売店内のキオスクに配置され得る。ユーザーは古い又はＥＯＬ照明製品１００を店舗内のキオスクに物理的に持ち込み、照明製品１００をソケット内に接続又は照明製品１００をタグリーダーによって読み取り得る。あるいは、推薦システム４００は例えばタグリーダーを備えるスマートフォン又はタブレットコンピュータ内にアプリケーションとして実装される自己充足ユニット内に組み込まれ、この場合、照明製品１００の近くでスマートフォン又はタブレットコンピュータをスワイプすることによって照明製品１００からデータが回収され得る。
【００５２】
［００６１］上述したように、図５に示すようにＮＦＣを利用して推薦システム４００に伝送される照明使用情報を保存するために照明製品１００内の永続メモリが使用され得る。インターフェイス４２０は、プロセッサ４５０（図４）と有線通信し、更に照明製品１００内に含まれる第２の無線インターフェイス５２２と無線通信する第１の無線インターフェイス５２１を含む。照明製品１００は推薦システム４００（図４）の付近で給電され、よって第２の無線インターフェイスは第１の無線インターフェイス５２１と通信するための電力を受け取ることができる。プロセッサ４５０（図４）はその後、第１の無線インターフェイス５２１と第２の無線インターフェイス５２２との間の無線接続を介して照明製品１００から照明使用情報を引き出し得る。
【００５３】
［００６２］あるいは、図６に示されるように、照明製品１００内の永続メモリは、照明製品１００がホストするドライバ電子機器又は他の電子回路への第２の有線インターフェイス６２２に接続される第１の有線インターフェイス６２１によって直接インターフェイス接続され得る。第１の有線インターフェイス６２１はプロセッサ４５０（図４）と電気通信する。ＥＯＬ後に別の電気回路を作成するために、照明製品１００は推薦システム４００（図４）に物理的に接続され得る。照明製品１００を受容し、給電し、そして電気接続するために、第１の有線インターフェイス６２１は１つ以上の標準照明ソケットインターフェイスを含み得る。プロセッサ４５０（図４）はその後、第１の有線インターフェイス６２１と第２の有線インターフェイス６２２との間の有線接続を介して照明製品１００から照明使用情報を引き出し得る。
【００５４】
［００６３］上記したように、推薦システム４００（図４）のプロセッサ４５０（図４）はコンピュータであり、その一例を図７の概略図に示す。プロセッサ４５０は処理装置７０２、記憶デバイス７０４、上記機能を定めるソフトウェア７０８が記憶されたメモリ７０６、入出力（Ｉ／Ｏ）デバイス７１０（又は周辺機器）、及びプロセッサ４５０内の通信を可能にするローカルバス又はローカルインターフェイス７１２を含む。ローカルインターフェイス７１２は限定はされないが、例えば当該分野において知られる１つ以上のバス等の有線若しくは無線接続であり得る。ローカルインターフェイス７１２は通信を可能にするために、単純さのために省略されたコントローラ、バッファ（キャッシュ）、ドライバ、リピータ、及びレシーバ等の要素を更に有し得る。また、上記構成要素間での適切な通信を可能にするために、ローカルインターフェイス７１２はアドレス、制御、及び／又はデータ接続を含み得る。
【００５５】
［００６４］処理装置７０２はソフトウェア、特にメモリ７０６内に保存されるソフトウェアを実行するためのハードウェアデバイスである。処理装置７０２は任意のカスタムメイド若しくは市販のシングルコア若しくはマルチコアプロセッサ、中央処理装置（ＣＰＵ）、プロセッサ４５０に関連付けられた複数のプロセッサを含む補助プロセッサ、（マイクロチップ又はチップセットの形態を取る）半導体ベースマイクロプロセッサ、マクロプロセッサ、又は概してソフトウェア命令を実行するための任意のデバイスであり得る。
【００５６】
［００６５］メモリ７０６は揮発性メモリ素子（例えばランダムアクセスメモリ（ＤＲＡＭ、ＳＲＡＭ、ＳＤＲＡＭ等のＲＡＭ））及び不揮発性メモリ素子（例えばＲＯＭ、ハードドライブ、テープ、ＣＤＲＯＭ等）のうちの任意の１つ又は組み合わせを含み得る。更に、メモリ７０６は電子、磁気、光学、及び／又は他の種類の記憶媒体を含み得る。メモリ７０６は、様々な構成要素が互いに離れて配置されるが処理装置７０２によってアクセス可能な分散アーキテクチャを有し得る。
【００５７】
［００６６］ソフトウェア７０８はプロセッサ４５０が本発明に従って実行する機能を定める。メモリ７０６内のソフトウェア７０８は、それぞれが後述されるようなプロセッサ４５０の論理機能を実現するための実行可能命令の番号付きリストを含む１つ以上の別個のプログラムを含み得る。メモリ７０６はオペレーティングシステム（Ｏ／Ｓ）７２０を含み得る。オペレーティングシステムは本質的にプロセッサ４５０内のプログラムの実行を制御し、スケジューリング、入出力制御、ファイル及びデータ管理、メモリ管理、通信制御、並びに関連するサービスを提供する。
【００５８】
［００６７］Ｉ／Ｏデバイス７１０は、限定はされないが、例えばキーボード、マウス、スキャナ、マイク等の入力デバイスを含み得る。更に、Ｉ／Ｏデバイス７１０は、限定はされないが、例えばプリンタ、ディスプレイ等の出力デバイスも含み得る。最後に、Ｉ／Ｏデバイス７１０は更に、限定はされないが、例えば変調器／復調器（他のデバイス、システム、又はネットワークにアクセスするためのモデム）、ＲＦ又は他の送受信機、電話インターフェイス、ブリッジ、ルータ等、入出力の両方を介して通信するデバイスを含み得る。
【００５９】
［００６８］プロセッサ４５０の動作中、処理装置７０２はメモリ７０６内に保存されるソフトウェア７０８を実行するよう、メモリ７０６とデータを交換するよう、及び上記のようにソフトウェア７０８に従ってプロセッサ４５０の動作を概して制御するよう構成される。
【００６０】
方法
［００６９］図８は、照明製品から推薦システムに使用データを伝送する例示的な方法のブロック図である。フローチャート内のプロセス記述又はブロックはプロセス内の特定の論理的機能を実現するための１つ以上の命令を含むモジュール、セグメント、コードの部分、ステップを表すものと解されるべきであり、当業者によって理解されるように、関与する機能に応じて、実質的に同時又は逆の順番を含めて図示又は記載の順番とは異なる順番で機能が実行され得る他の実装形態が本発明の範囲に含まれることに留意されたい。
【００６１】
［００７０］照明製品内のメモリユニットは照明製品が使用可能でなくとも読み取ることができる。照光のための通常の使用中、メモリへのインターフェイスは読み取り／書き込み動作のために照明製品の電子機器にアクティブに結合されるが、メモリユニットを外部ユニット、例えば推薦システムによって読み取るときにはこのアクティブインターフェイスに依存しない。上記したように、メモリユニットは通常の動作中、例えば光強度プリファレンス、色プリファレンス、寿命、及び他の情報等の設定データを更新するために書き込まれる。
【００６２】
［００７１］照明製品がＥＯＬに達するまで及びその後、ユーザーは照明製品を推薦システムに持ち運び得る。例えば、推薦システムは小売店のキオスク内に存在し得る。ブロック８１０によって示されるように、照明製品内のメモリがアクセスされる。例えば、照明製品のユーザーはＮＦＣ対応キオスクにて照明製品を読み取らせることにより保存された使用データを推薦システムに受動的に伝送し得る。ブロック８２０によって示されるように、照明システムのメモリから動作情報が回収される。ブロック８３０によって示されるように、動作情報に基づきデータベースから取り替え製品が選択される。例えば、推薦システムは製品情報を用いてデータベースへのクエリを生成し、ＥＯＬ照明製品の動作情報から認められる使用パターンに従って照明関連機能及び既知の製品のセットからマッチを見つけることができる。ブロック８４０によって示されるように、選択された取り替え製品に関する製品情報が例えばキオスクの映像表示ユニット上に表示される。表示される推薦照明製品のセットを更に精査するために、推薦システムはユーザーと更に対話して照明ユーザーの好みを更に決定してもよい。また、表示される取り替え製品のセットを更に精査するために、ユーザーは提案される機能の特定の側面をフィルタリング又は変更してもよい。
【００６３】
［００７２］あるいは、上記キオスクの機能は、例えば遠隔配置される又は電話機にキャッシュされる照明製品データベース及び推薦システムとリンクするＮＦＣ対応スマートフォン又はタブレットコンピュータによって置換又は補完され得る。この場合、ユーザーは適時に自身の電話機上で照明製品をスワイプして使用に関する情報を引き出すことができ、また、例えばオンラインショップを介してこの使用に関連付けられる追加の照明オプションを探すことができる。
【００６４】
［００７３］データベースは保存メモリから回収される動作情報に基づいて更新されてもよい。このようにすることで、キオスクは製品を推薦するときに考慮され得るユーザーデータを蓄積する役割を果たすことができる。例えば、動作情報は製品推薦精度及び粒度を高めるために使用され得る。
【００６５】
ユーザー満足度データ
［００７４］上記したように、照明製品自身が蓄積する使用データに加えて、例えば特定の照明設定の満足又は不満を反映するコードによってリモートコントロール器具を介してかかる情報を入力及び伝達する適切な手段が利用可能な場合、照明製品は更にユーザー満足度データ（フィードバック）を受け取って保存することができる。この場合、満足度データは照明設定データと共に永続メモリ内に保存され、新しい照明製品を選択するために推薦システム４００（図４）によって処理される追加情報を提供する。
【００６６】
［００７５］図９は、例示的なユーザー満足度情報収集システム９００の概略図である。システムは照明製品９５０への満足度フィードバックを制御及び報告するためのリモートコントロール９２０を含む。リモートコントロール９２０は照明製品９５０と例えばＢｌｕｅｔｏｏｔｈ（登録商標）又はＺｉｇｂｅｅ（登録商標）を介して無線通信してもよいし、又はリモートコントロール９２０は有線リモートでもよい。リモートコントロール９２０は例えばオン／オフ及び選択カラー等の制御パラメータ及びフィードバックパラメータ９６０の両方を照明製品９５０に送信し得る。リモートコントロール９２０は照明製品９５０をオン／オフするための電源スイッチ９２１と、照明製品９５０からの生成光９５５の色を選択するためのカラーホイール９２２とを含む。
【００６７】
［００７６］更に、リモートコントロール９２０は、照明製品９５０に送信される満足度パラメータ９６０を選択するために使用されるポジティブフィードバックボタン９２５とネガティブフィードバックボタン９２６とを含む。例えば、ユーザーが生成光９５５の色に満足する場合、ユーザーはポジティブフィードバックボタン９２５を押すことができ、リモコンはその結果、カラーホイール９２２によって現在選択された現在選択されている色を示す動作パラメータと共にフィードバックパラメータ９６０を送信し得る。
【００６８】
［００７７］図９に示される例示的シナリオでは、ユーザーは自身がカラーホイール９２２によって選択した色に満足していないことを照明製品に示している。この場合、照明製品９５０は例えば時間を経て統計的に蓄積された満足度と共にその設定を保存する。
【００６９】
再生利用
［００７８］上記推薦システムの機能の一部は、ＥＯＬ照明製品から回収された情報をＥＯＬ照明製品の回収及びリサイクル中に活用するために使用され得る。回収情報は、例えば自動分類及びリサイクルプロセスを補助するためにメモリユニットから回収され得る製品に関する静的情報、例えばその構成材料及び解体方法を含み得る。
【００７０】
［００７９］ある例示的状況では、上記推薦システムを備える店舗にＥＯＬ照明製品を持ち込んだ後、照明製品ユーザーは新しい取り替え製品の購入時又は購入後に古い照明製品を廃棄する。廃棄された照明製品は回収及びリサイクルフェーズ中、推薦システムと同じ通信プロセスを使用して識別及び追跡され得る。あるいは、推薦システムが再生利用／リサイクルでの使用のために廃棄された照明製品用の識別スキャンラベルを生成してもよい。再生利用中、例えばメモリユニット及び通信電子機器（ＲＦＩＤタグ）等の照明ユニットからの部品は、新しい照明製品内での再利用又は転用のために照明製品から分離される。
【００７１】
［００８０］図１０は、上記シナリオでの照明製品の使用フェーズを示す。図１０Ａは、使用及び／又は満足度データが内部メモリユニット内に保存される通常の使用フェーズ中の照明製品を示す。図１０Ｂは照明製品のＥＯＬを示す。図１０Ｃは、ＥＯＬ照明製品を保持して推薦システムとインタラクトするユーザーを示し、ユーザーは取り替え照明製品を選択するための情報を受け取る。図１０Ｄは、購入した取り替え製品を持つユーザーがＥＯＬ照明製品をリサイクルビンに廃棄している様子を示す。図１０Ｅは、再生利用情報を無線回収するためにスキャンされているＥＯＬ製品を示す。図１０Ｆは、再利用のためにＥＯＬ製品から分離されている部品を示す。
【００７２】
［００８１］幾つかの発明実施形態を本明細書に説明し例示したが、当業者であれば、本明細書にて説明した機能を実行するための、並びに／又は、本明細書にて説明した結果及び／若しくは１つ以上の利点を得るための様々な他の手段及び／若しくは構造体を容易に想到できよう。また、このような変更及び／又は改良の各々は、本明細書に説明される発明実施形態の範囲内であるとみなす。より一般的には、当業者であれば、本明細書にて説明されるすべてのパラメータ、寸法、材料、及び構成は例示のためであり、実際のパラメータ、寸法、材料、及び／又は構成は、発明教示内容が用いられる１つ以上の特定用途に依存することを容易に理解できよう。当業者であれば、本明細書にて説明した特定の発明実施形態の多くの等価物を、単に所定の実験を用いて認識又は確認できよう。したがって、上記実施形態は、ほんの一例として提示されたものであり、添付の請求項及びその等価物の範囲内であり、発明実施形態は、具体的に説明された又はクレームされた以外に実施可能であることを理解されるべきである。本開示の発明実施形態は、本明細書にて説明される個々の特徴、システム、品物、材料、キット、及び／又は方法に関する。さらに、２つ以上のこのような特徴、システム、品物、材料、キット、及び／又は方法の任意の組み合わせも、当該特徴、システム、品物、材料、キット、及び／又は方法が相互に矛盾していなければ、本開示の本発明の範囲内に含まれる。
【００７３】
［００８２］本明細書にて定義されかつ用いられた定義はすべて、辞書の定義、参照することにより組み込まれた文献における定義、及び／又は、定義された用語の通常の意味に優先されて理解されるべきである。
【００７４】
［００８３］本明細書及び特許請求の範囲では、明らかに反対に示されない限り、要素は「少なくとも１つ」を意味するものと理解されるべきである。
【００７５】
［００８４］本明細書及び特許請求の範囲にて使用される「及び／又は」との表現は、等位結合された要素の「いずれか又は両方」を意味すると理解すべきである。すなわち、要素は、ある場合は接続的に存在し、その他の場合は離接的に存在する。「及び／又は」を用いて列挙される複数の要素も同様に解釈されるべきであり、すなわち、要素のうちの「１つ以上」が等位結合される。「及び／又は」節によって具体的に特定された要素以外の他の要素も、それが具体的に特定された要素に関連していても関連していなくても、任意選択的に存在してよい。本明細書及び特許請求の範囲において、「又は」は、上記で定義した「及び／又は」と同じ意味を有すると理解されるべきである。例えば、列挙される項目を分けるとき、「又は」又は「及び／又は」は包括的であると解釈されるべきであり、つまり、複数の又は列挙される要素の少なくとも１つ及び２つ以上、並びに、任意で、付加的な列挙されない項目を含む。明確に反する用語、例えば「１つのみ」若しくは「ただ１つ」、又は特許請求の範囲で使用される場合の「〜からなる」等のみが複数の又は列挙される要素のただ１つの要素を含むことを意味する。概して、本明細書で使用される「又は」との用語は、「いずれか」、「〜のうちの１つ」、「１つのみ」、又は「ただ１つ」等の排他的用語を伴う場合にのみ排他的選択（すなわち「両方ではなくどちらか一方」）を示すと解されるべきである。
【００７６】
［００８５］さらに、特に明記されない限り、本明細書に記載された２つ以上のステップ又は動作を含むどの方法においても、当該方法のステップ又は動作の順番は、記載された方法のステップ又は動作の順序に必ずしも限定されないことを理解すべきである。また、請求項において、括弧内に登場する任意の参照符号は、便宜上、提供されているに過ぎず、当該請求項をいかようにも限定することを意図していない。
【００７７】
［００８６］特許請求の範囲においても上記明細書においても、「備える」、「含む」、「担持する」、「有する」、「含有する」、「関与する」、「保持する」、「〜から構成される」等といったあらゆる移行句は、非制限的、すなわち、含むがそれに限定されないことを意味すると理解すべきである。「〜からなる」及び「本質的に〜からなる」といった移行句のみが、制限又は半制限移行句である。
【図９】
2015528151.tif 000005
【図１０（Ａ）】
2015528151.tif 000006
【図１０（Ｂ）】
2015528151.tif 000007
【図１０（Ｃ）】
2015528151.tif 000008
【図１０（Ｄ）】
2015528151.tif 000009
【図１０（Ｅ）】
2015528151.tif 000010
【図１０（Ｆ）】
2015528151.tif 000011
【図１】
2015528151.tif 000012
【図２】
2015528151.tif 000013
【図３】
2015528151.tif 000014
【図４】
2015528151.tif 000015
【図５】
2015528151.tif 000016
【図６】
2015528151.tif 000017
【図７】
2015528151.tif 000018
【図８】
2015528151.tif 000019
【国際調査報告】
2015528151.tif 000020
2015528151.tif 000021
2015528151.tif 000022
2015528151.tif 000023